(57)【要約】      （修正有）【課題】スルーステム法の再充填を防止し得る自噴圧吐出用ステムバルブを提供する。【解決手段】エアゾール容器１に充填された内容物が流入する入口部１３を先端部に備えた筒状のハウジング１０に、自噴圧吐出用ステムバルブが構成されている。マウンティングカップ２のボス上面部２１のステム挿通口２１ａからステム１１を突出させ、かつステムガスケット１５をステム挿通口２１ａの周辺のボス上面部２１に接面させるようにハウジング１０がボス部２０に保持される。内容物は、スルーバルブ法により、ステム挿通口２１ａの隙間からステムガスケット１５の表面及びハウジング外周面を経由して加圧状態で容器に充填される。ステム３及び入口部１３間に逆止弁として機能するボール１８が設けられ、ステム１１の押し下げ操作時には自噴圧により開放し、一方スルーステム法によりステム３を通して内容物が容器に圧入されると閉鎖する。【選択図】図１
2004330128.tif 000002
【特許請求の範囲】
【請求項１】
容器に充填された内容物が流入する入口部を先端部に備えた筒状のハウジングに、ステムと、このステムをハウジングの基端開口部から突出させるように上方へ付勢する弾性体とが収納されると共に、基端開口部に、ステムの周壁を環状に包囲することによりステム孔を閉鎖する弾性のステムガスケットが載置されて、ハウジングが、容器頭部に装着されたマウンティングカップのボス部に保持されるようになった自噴圧吐出用ステムバルブであって、ボス上面部のステム挿通口からステムを突出させ、かつステムガスケットをステム挿通口の周辺のボス上面部に接面させるハウジングの保持状態で、内容物が、ステム挿通口のステム周辺の隙間からステムガスケットの表面及びハウジング外周面を経由して加圧状態で容器に充填されると共に、充填後にステムが押し下げ操作されると、ステムガスケットが連動して撓むことによりステム孔を開口させてハウジングの入口部から流入した内容物をステムから自噴圧により吐出させるようになった自噴圧吐出用ステムバルブにおいて、
ハウジング内のステム及び入口部間に、前記ステムの押し下げ操作時には自噴圧により開放し、一方前記ステムを通して内容物が容器に圧入されると閉鎖する逆止弁が設けられたことを特徴とする自噴圧吐出用ステムバルブ。
【請求項２】
容器に、内容物が噴射剤と共にエアゾールとして充填されていることを特徴とする請求項１記載の自噴圧吐出用ステムバルブ。
【請求項３】
容器に、内容物として液化ガスが充填されていることを特徴とする請求項１記載の自噴圧吐出用ステムバルブ。
【請求項４】
容器に可燃性液化ガスがガスボンベとして充填されると共に、ハウジングに、ステムの縦方向に沿った流路部及びその直交方向へ曲げられて先端を入口部とする流路部を有するＬ字形のパイプ状流路が設けられ、
このパイプ状流路に逆止弁を設けられると共に、前記容器がコンロに横倒されてセットされた状態で、前記入口部が液面より上方位置を占めることを特徴とする請求項１記載の自噴圧吐出用ステムバルブ。
【発明の詳細な説明】
【０００１】
【発明の属する技術分野】
本発明は、容器に充填された内容物が流入する入口部を先端部に備え、かつ容器頭部に装着されたマウンティングカップのボス部に保持される筒状のハウジングに、ステムと、このステムをハウジングの基端開口部から突出させるように上方へ付勢を行う弾性体とが収納されると共に、基端開口部に、ステムの周壁を環状に包囲することによりステム孔を閉鎖する弾性のステムガスケットが載置され、ボス上面部のステム挿通口からステムが突出し、かつステムガスケットがステム挿通口の周辺のボス上面部に接面しているハウジングの保持状態で、内容物が、ステム挿通口のステム周辺の隙間からステムガスケットの表面及びハウジング外周面を経由してスルーバルブ法により加圧状態で充填されると共に、充填後にステムが押し下げ操作されると、ステムガスケットが連動して撓むことによりステム孔を開口させてハウジングの入口部から流入した内容物をステムから自噴圧により吐出させるようになった自噴圧吐出用ステムバルブに関するものである。
【０００２】
【従来の技術】
この種の自噴圧吐出用ステムバルブが装着された容器に、エアゾール、可燃性液化ガス等の自噴式の内容物を充填する場合、ステムを通して圧入する所謂スルーステム法に対して、最近ではより高圧でステムの周囲からステムガスケット及びハウジング外周面を経由して高速に充填するスルーバルブ法が採用される傾向にある。因みに、文献１によれば、ハウジングをマウンティングカップのボス部にクリンチにより保持させる際に、圧入流路を確保できるようにしたハウジング外周面に形成するガス充填用の溝構造が提案されている。また、このようなスルーバルブ法の充填は、例えば文献２に開示されたコンロ用のカセット式ガスボンベに燃性液化ガスを圧入して液化させる場合に採用されている。
【０００３】
【特許文献１】
実開平７−２４７８３号公報
【特許文献２】
特開平１１−１０１４００号公報
【０００４】
【発明が解決しようとする課題】
しかしながら、内容物が消費された場合に、スルーステム法の充填は、スルーバルブ法に較べて第３者により実施され易く、したがって真正の内容物と異なる内容物が再充填されて販売されると、販売利益が損なわれるだけでなく、商品の信頼感が毀損され、場合により危険を伴う問題がある。
【０００５】
本発明は、このような点に鑑みて、スルーステム法による再充填を防止し得る冒頭に述べた類の自噴圧吐出用ステムバルブを提供することを目的とする。
【０００６】
【課題を解決するための手段】
本発明は、この目的を達成するために、請求項１により、容器に充填された内容物が流入する入口部を先端部に備えた筒状のハウジングに、ステムと、このステムをハウジングの基端開口部から突出させるように上方へ付勢する弾性体とが収納されると共に、基端開口部に、ステムの周壁を環状に包囲することによりステム孔を閉鎖する弾性のステムガスケットが載置されて、ハウジングが、容器頭部に装着されたマウンティングカップのボス部に保持されるようになった自噴圧吐出用ステムバルブであって、ボス上面部のステム挿通口からステムを突出させ、かつステムガスケットをステム挿通口の周辺のボス上面部に接面させるハウジングの保持状態で、内容物が、ステム挿通口のステム周辺の隙間からステムガスケットの表面及びハウジング外周面を経由して加圧状態で容器に充填されると共に、充填後にステムが押し下げ操作されると、ステムガスケットが連動して撓むことによりステム孔を開口させてハウジングの入口部から流入した内容物をステムから自噴圧により吐出させるようになった自噴圧吐出用ステムバルブにおいて、  ハウジング内のステム及び入口部間に、ステムの押し下げ操作時には自噴圧により開放し、一方ステムを通して内容物が容器に圧入されると閉鎖する逆止弁が設けられたことを特徴とする。
【０００７】
逆止弁は、ステムの押し下げ操作時には自噴圧により開放し、一方ステムを通して内容物が容器に圧入されると閉鎖する。
【０００８】
【発明の実施の形態】
図１を基に本発明の実施の形態の一例による自噴圧吐出用ステムバルブを説明する。このステムバルブは、エアゾール容器１に充填された自噴式の内容物が流入する入口部１３を先端部に備えた筒状のハウジング１０に、基端開口部１０ａから突出するステム１１と、ばね座部１０ｂに着座してステム１１を上方へ付勢するばね１９とが収納されると共に、基端開口部１０ａに、弾性を呈し、かつステム１１の周壁を包囲することによりステム孔１２を閉鎖する環状でゴム製のステムガスケット１５が載置される。
【０００９】
ハウジング１０が、エアゾール容器１の頭部に装着されたマウンティングカップ２の筒状のボス部２０に、このボス上面部２１のステム挿通口２１ａからステム１１を突出させ、かつステムガスケット１５がステム挿通口２１ａの周辺のボス上面部２１の裏面に接面するように、ハウジング１０の外形を膨出させた上部外周面１４をボス部２０にかしめて保持される。上部外周面１４には、スルーバルブ法により、ステム１１及びステム挿通口２１ａ間の隙間からステムガスケット１５の表面及び上部外周面１４を経由して高速充填が行われるように、縦溝１４ａが円周方向に間欠的に複数個形成されている。
【００１０】
このような自噴圧吐出用ステムバルブの構成自体は基本的に周知であるが、筒状のハウジング１０の下端の内容物の入口部１３及びばね座部１０ｂ間のパイプ状流路１６の途中には、その外形を段差状に大きくしてボール１８を収納し、かつその直径よりも小さく設定された円形の弁口１７ａを有する弁室１７が形成されている。また、弁室１７の内周面には、ボール１８の上方への抜け止めを行い、かつ上方へ浮動して弁口１７ａを開口させる程度の隙間を残すように、ボール１８よりも僅かに大きな曲線状内周面を有するリブ１７ｂが四方に形成されている。
【００１１】
ステム１１に装着された噴射ボタン（図示せず）が押下げ操作されると、周知のように、ステム孔１２が開口し、弁室１７のステム１１側が大気に連通することにより、エアゾール容器１側の噴射圧でボール１８が浮上して弁室１７の上部に拘束されて弁口１７ａが開口し、噴射ボタンの噴射口から噴射が行われる。
【００１２】
内容物を使用し尽くした後にステム１１の吐出路１１ａから内容物が噴射剤と共に加圧状態で再充填されようとすると、その圧力によりボール１８が入口１７ａを閉鎖し、スルーステム法による充填が防止される。
【００１３】
図２は別の実施の形態による自噴圧吐出用ステムバルブを示すもので、前述のものと同一もしくは同等部分は同一符号で説明する。このステムバルブは、コンロ用のカセット式容器であるガスボンベ５の眼鏡蓋５ａに装着されたマウンティングカップ２のボス部２０に保持され、スルーバルブ法により燃性液化ガス、例えば液化炭化水素ガスが圧入されている。ハウジング１０のばね座部１０ｂよりも先方には、ステム１１の縦方向に沿った流路部３３ａ及びその直交方向へ曲げられた流路部３３ｂを有するＬ字形のパイプ状流路３３が形成されると共に、流路部３３ｂの先端部のフランジ部３３ｃより先方には、入口部３１及び逆止弁としての弾性復帰力を呈するフラップ弁３２を構成するキャップ３０が嵌着されている。
【００１４】
このキャップは、その上面部が入口部３１を形成するように円形に開口されると共に、その直径よりも僅かに大きな直径の樹脂製ディスク状のフラップ弁３２が付属している。図３に示すように、その端部のノッチ３４ａを介して突設された突片３４が、キャップ３０の嵌着状態で、流路部３３ｂの先方への突片３５と、入口部３１の周辺部とで挟持されることにより、フラップ弁３２は流路部３３ｂの先端から上方へ干渉しないように離間して、ノッチ３４ａを支点として入口部３１に対して離反方向へ開口可能になっている。
【００１５】
ガスボンベ５が、コンロの容器収納部にカセット式に所定の回転位置で横倒状態に収納されて受具と連結されると、入口部３１は可燃性液化ガスの液面３９の上方位置を占める。着火時にステム１１が押下げ操作されると、加圧状態の可燃性ガスはフラップ弁３２を開口させてステム１１から吐出され、バーナで燃焼する。可燃性液化ガスの消費後にステム１１の吐出路１１ａから再充填しようとすると、その充填圧力によりフラップ弁３２が入口部３１を閉鎖する。尚、この入口部はメッシュ状に構成することもできる。
【００１６】
【発明の効果】
本発明によれば、スルーバルブ法により容器に充填されたエアゾール或は燃料用等の液化ガスの使用済み後に、スルーステム法によりステムを通して内容物が再充填されるのが防止される。
【図面の簡単な説明】
【図１】本発明の実施の形態による自噴圧吐出用ステムバルブをマウンティングカップのボス部に装着した状態の断面図である。
【図２】別の実施の形態によるコンロにセットされる自噴圧吐出用ステムバルブの断面図である。
【図３】図２によるステムバルブのキャップを外した状態のフラップ弁の平面図である。
【符号の説明】
１  エアゾール容器
２  マウンティングカップ
５  カセット式ガスボンベ
１０  ハウジング
１１  ステム
１５  ステムガスケット
１３，３１  入口部
１７ａ  弁口
１８  ボール
２０  ボス部
２１  ボス上面部
２１ａ  ステム挿通口
３２  フラップ弁
【図１】
2004330128.tif 000003
【図２】
2004330128.tif 000004
【図３】
2004330128.tif 000005